(57)【要約】【課題】速く簡単に製造可能であり、重心が極めて低く、振動吸収性に優れたゴルフクラブヘッドを提供する。【解決手段】ゴルフクラブヘッドは振動吸収ユニット２０と重り用ユニットと弾性ユニット４０とを備える。振動吸収ユニット２０は比重が２以下の軽量の振動吸収材料から構成され、ややクラブヘッドのメインボディーに対応する形を呈し、クラブヘッドの打球面及び底面に対し開口状を呈し、クラブヘッドの頂部、トー部、ヒール部及びネック部を形成する。重り用ユニットは比重が６以上の耐磨耗材料から構成され、前記振動吸収ユニット２０の底面の開口端部に固定されることでクラブヘッドの底部を形成する。弾性ユニット４０は前記振動吸収ユニット２０及び重り用ユニットよりも弾性に優れた材料から構成され、前記振動吸収ユニット２０及び重り用ユニットから構成されるクラブヘッドの開口端部に固定されることでクラブヘッドの打球面部を形成する。【選択図】図１
2007111168.tif 000002
【特許請求の範囲】
【請求項１】
比重が２以下である軽量の振動吸収材料から構成され、クラブヘッドのメインボディーに対応する形を呈し、かつクラブヘッドの打球面及び底面に対し開口状を呈し、クラブヘッドの頂部、トー部、ヒール部及びネック部を形成する振動吸収ユニットと、
比重が６以上である耐磨耗材料から構成され、前記振動吸収ユニットの底面の開口端部に固定されることでクラブヘッドの底部を形成する重り用ユニットと、
前記振動吸収ユニット及び重り用ユニットよりも弾性に優れた材料から構成され、前記振動吸収ユニット及び重り用ユニットから構成されるクラブヘッドの開口端部に固定されることでクラブヘッドの打球面部を形成する弾性ユニットと、
を備えることを特徴とするゴルフクラブヘッド。
【請求項２】
振動吸収ユニットはマグネシウム合金ダイカストにより一体成形されることを特徴とする請求項１に記載のゴルフクラブヘッド。
【請求項３】
振動吸収ユニットのネック部は管部を有することを特徴とする請求項１に記載のゴルフクラブヘッド。
【請求項４】
重り用ユニットは、ステンレス鋼または軟鉄から構成されることを特徴とする請求項１に記載のゴルフクラブヘッド。
【請求項５】
弾性ユニットはチタン合金から構成されることを特徴とする請求項１に記載のゴルフクラブヘッド。
【請求項６】
重り用ユニットと振動吸収ユニットとの間に嵌合構造を備えることを特徴とする請求項１に記載のゴルフクラブヘッド。
【請求項７】
弾性ユニットは振動吸収ユニット及び重り用ユニットから構成されるクラブヘッドの開口端部に嵌合接着方法で固定されることを特徴とする請求項１に記載のゴルフクラブヘッド。
【発明の詳細な説明】
【技術分野】
【０００１】
本発明は、ゴルフクラブヘッドに関し、特に重心が極めて低く、振動吸収性が比較的良好なゴルフクラブヘッドに関するものである。
【背景技術】
【０００２】
特許文献１に開示されるマグネシウム合金から製造されるゴルフクラのヘッド殻体は、打球面板がチタン合金またはアルミ合金またはセラミックス材料などから製造される。そのうちマグネシウム合金の殻体は軽量で、振動吸収性を有し、かつ軽量のチタン合金と比べて単価が安く、またダイカスト（die casting）法により速く、大量に製造することが可能である。しかし、ダイカスト法を採用して製造する場合、図４と図５に示すように、離型が原因で殻体９０の頂部９１、トー部９２、底部９３、ヒール部９４に肉厚な区域が形成されるため、体積が大きくなり、重量が重くなることがその欠点となる。したがって、このような構造は超大型クラブヘッドの設計においては不利である。
【０００３】
また、中華民国特許公告第590028号により掲示されるのは、中空のクラブヘッドを前側殻体と後側殻体に分割可能な構造であり、そのうち後側殻体はステンレス鋼、アルミニウムまたはマグネシウムまたはその合金などから製造することが可能である。しかし、前記公告案では、クラブヘッドを分割する方法は掲示されていない。つまり上述の問題を解決する方法はまだ得られていない。したがって、本発明者は研究開発の結果解決可能な方法を提出すると同時に、中華民国出願番号第94128835号で特許出願を請求した。
【０００４】
また前記の各特許案は、クラブヘッドの振動吸収材料としてマグネシウム合金を採用するものであるが、クラブヘッドの底部への重量配分と耐磨耗性に対する要求などの面は考慮されなかった。これに対し、クラブヘッドの底面に重り用の金属片を配置することで解決を求めることが可能であるが、それでもマグネシウム合金を底面に露出させてしまうという問題があるため、全体の構造と製造工程は望ましいものではない。
【０００５】
【特許文献１】米国特許第５，４９４，２８１号明細書
【特許文献２】台湾特許出願公告第５９００２８号明細書
【発明の開示】
【発明が解決しようとする課題】
【０００６】
本発明の主な目的は、速く、簡単に製造可能であり、重心が極めて低く、振動吸収性が比較的良好なゴルフクラブヘッドを提供することである。
【課題を解決するための手段】
【０００７】
上述の目的を達成するために、本発明によるゴルフクラブヘッドは振動吸収ユニットと重り用ユニットと弾性ユニットとを備える。そのうち振動吸収ユニットは比重が２以下である軽量の振動吸収材料から構成され、ややクラブヘッドのメインボディーに対応する形を呈し、かつクラブヘッドの打球面及び底面に対し開口状を呈し、クラブヘッドの頂部、トー部、ヒール部及びネック部を形成する。重り用ユニットは比重が６以上である耐磨耗材料から構成され、前記振動吸収ユニットの底面の開口端部に固定されることでクラブヘッドの底部を形成する。弾性ユニットは前記振動吸収ユニット及び重り用ユニットよりも弾性に優れた材料から構成され、前記振動吸収ユニット及び重り用ユニットから構成されるクラブヘッドの開口端部に固定されることでクラブヘッドの打球面部を形成する。
【発明を実施するための最良の形態】
【０００８】
以下、本発明の実施例を図面に基づいて説明する。
図１と図２に示すように、本発明の第一実施例によるウッドクラブヘッド１０は下記のものを備える。
振動吸収ユニット２０は、比重が２以下である軽量の振動吸収材料から構成され、ややクラブヘッドのメインボディーに対応する形を呈し、かつクラブヘッドの打球面と底面に対し開口状を呈し、クラブヘッドの頂部２１、トー部２２、ヒール部２３及びネック部２４を形成する。振動吸収ユニット２０はマグネシウム合金ダイカストにより一体成形される。ネック部２４は一体成形するか、或いは管部（図示なし）と振動吸収ユニット２０との結合により成形することが可能である。管部はマグネシウム合金またはチタン合金にすることが可能である。
【０００９】
重り用ユニット３０は、比重が６以上である耐磨耗材料から構成され、前記振動吸収ユニット２０の底面の開口端部に固定されることでクラブヘッドの底部を形成する。重り用ユニット３０はステンレス鋼、軟鉄またはマルエージング鋼などの金属材料から構成され、かつ鋳造、鍛造またはスタンピングなどの方法により成形することが可能である。また重り用ユニット３０は接着剤またはねじ３１などの固定ユニットを別々に使用するか、或いはこれらを同時に使用することで振動吸収ユニット２０の底面に固定することが可能である。
【００１０】
弾性ユニット４０は、前記振動吸収ユニット２０と重り用ユニット３０よりも弾性が良好な材料から構成され、前記振動吸収ユニット２０と重り用ユニット３０から構成されるクラブヘッドの開口端部に固定されることでクラブヘッドの打球面部を形成する。弾性ユニット４０はチタン合金から構成され、打球面４１と打球面から後へ延伸する垣部４２を有し、垣部４２は端縁部に突出する嵌合部４３を一回り有し、振動吸収ユニット２０と重り用ユニット３０は別々に嵌合部４３と嵌合し接着剤により接着する嵌合槽２５、３２を有する。
また振動吸収ユニット２０と重り用ユニット３０の接合端部に嵌合部３３と嵌合槽２６を設けることも可能である。
【００１１】
本実施例の長所は次の通りである。
１．重心が極めて低いクラブヘッドを製造可能である。メインボディーは比重の小さいマグネシウム合金から構成され、底部は比重の大きいステンレス鋼から構成され、打球面は比重が両者の比重の間にあるチタン合金から構成されるため、重心が極めて低いクラブヘッドを容易に製造することができる。
【００１２】
２．クラブヘッドの振動吸収性が良好である。メインボディーはマグネシウム合金の振動吸収材料から構成されるため、ボールを打撃した時の振動波は打球面を介してメインボディーに伝導し、その後ネック部を介してシャフトに伝導した後、使用者の腕に達する。したがって、振動波は容易に振動吸収ユニットに吸収される。
【００１３】
３．打球面はチタン合金から成形されるため、弾性が極めて良好であり、また軽量の金属から構成される振動吸収メインボディーと金属の重りから構成される底部とを組み合わせることで全体的な性能と打ち心地が極めて良好になる。
４．マグネシウム合金ダイカストにより一体成形される振動吸収ユニットを速く、大量に生産することが可能であり、肉厚な区域が余計に形成されて体積が大きくなり、重量が重くなるという問題が発生しない。重り用ユニットの底板は別に製造されるため、生産された形式や商標が異なる底板と、同一の立体振動吸収ニットとを組み合わせることで生産を容易かつ迅速にすることが可能である。
【００１４】
また図３に示すように、本発明の第二実施例による鉄クラブヘッド５０はネック部と一体となりマグネシウム合金から成形されるメインボディーの振動吸収ユニット６０と、ステンレス鋼から成形される底部の重り用ユニット７０と、チタン合金から成形される打球面の弾性ユニット８０とを備える。
【図面の簡単な説明】
【００１５】
【図１】本発明の第一実施例によるゴルフクラブヘッドの構造を示す模式図である。
【図２】図１の２−２線に沿う断面図である。
【図３】本発明の第二実施例によるゴルフクラブヘッドの構造を示す模式図である。
【図４】周知のダイカスト方法によるクラブヘッドを示す断面図である。
【図５】周知のダイカスト方法によるクラブヘッドを示す断面図である。
【符号の説明】
【００１６】
１０  ウッドクラブヘッド、２０  振動吸収ユニット、２１  頂部、２２  トー部、２３  ヒール部、２４  ネック部、２５、３２  嵌合槽、２６  嵌合槽、３０  重り用ユニット、３１  ねじ、３３  嵌合部、４０  弾性ユニット、４１  打球面、４２  垣部、４３  嵌合部、５０  鉄クラブヘッド、６０  振動吸収ユニット、７０  重り用ユニット、８０  弾性ユニット
【図１】
2007111168.tif 000003
【図２】
2007111168.tif 000004
【図３】
2007111168.tif 000005
【図４】
2007111168.tif 000006
【図５】
2007111168.tif 000007